(57)【要約】【課題】テレビと、ＤＶＤレコーダーなどの映像装置と、衛星放送受信機などの映像機器を２１ピンケーブルで接続した時に、ＤＶＤレコーダーの待機中に、衛星放送受信機を視聴すると、クロストークが発生しやすい。【解決手段】入出力制御装置１０が、第１のコネクタ２０１と、第２のコネクタ２０２と、第１のコネクタ２０１からの映像・音声信号を、第２のコネクタ２０２へ出力するか、もしくはミュート２１０にして映像・音声信号を出力しないかを切り換え可能な信号切換部２０５と、第３の映像装置１３の状態を検出する検出部２０６と、検出部２０６が検出する第３の映像装置１３の状態に応じて、信号切換部２０５の切り換えを制御する制御部２００とを備えることにより、第２のコネクタ２０２と接続された第２の映像装置１２の間のケーブル１５における入力と出力のクロストークを抑えることができる。【選択図】図２
2006340038.tif 000002
【特許請求の範囲】
【請求項１】
第１の映像装置と第２の映像装置が、映像・音声信号の入力と出力を同時に可能なケーブルによって接続される第３の映像装置に用いられる入出力制御装置であって、
前記第１の映像装置を前記ケーブルで接続するための第１のコネクタと、
前記第２の映像装置を前記ケーブルで接続するための第２のコネクタと、
前記第１のコネクタから映像・音声信号を入力し、前記第１のコネクタからの映像・音声信号を、前記第２のコネクタへ出力するか、もしくはミュートにして映像・音声信号を出力しないかを切り換え可能な信号切換部と、
前記第３の映像装置の状態を検出する検出部と、
前記検出部が検出する前記第３の映像装置の状態に応じて、前記信号切換部の切り換えを制御する制御部とを備えることを特徴とする入出力制御装置。
【請求項２】
前記検出部は、前記第３の映像装置が待機状態である第１の状態であるかを検出し、
前記制御部は、前記検出部が検出した状態が前記第１の状態である場合、前記信号切換部をミュートに切り換えて、映像・音声信号を出力しないように制御することを特徴とする請求項１に記載の入出力制御装置。
【請求項３】
前記検出部は、前記第３の映像装置が非外部出力状態である第２の状態であるかを検出し、
前記制御部は、前記検出部が検出した状態が前記第１の状態または前記第２の状態である場合、前記信号切換部をミュートに切り換えて、映像・音声信号を出力しないように制御することを特徴とする請求項２に記載の入出力制御装置。
【請求項４】
前記第２の映像装置の種類を決定する接続装置決定部を備え、
前記制御部は、前記検出部が検出する前記第３の映像装置の状態と、前記接続装置決定部の決定とに基づいて、前記信号切換部を制御することを特徴とする請求項１から請求項３のいずれかに記載の入出力制御装置。
【請求項５】
前記第２の映像装置の種類を決定する接続装置決定部を備え、
前記検出部が検出した前記第３の映像装置の状態が前記第１の状態であり、かつ、前記接続装置決定部が前記第２の映像装置の種類をデコーダーであると決定した場合、
前記制御部は、前記信号切換部を切り換えて、前記第１のコネクタからの映像・音声信号を前記第２のコネクタに出力するように制御することを特徴とする請求項２または請求項３のいずれかに記載の入出力制御装置。
【請求項６】
前記検出部が検出した前記第３の映像装置の状態が、前記第１の状態または前記第２の状態であり、かつ、前記接続装置決定部が前記第２の映像装置の種類がデコーダーであると決定した場合、
前記制御部は、前記信号切換部を切り換えて、前記第１のコネクタからの映像・音声信号を前記第２のコネクタに出力するように制御することを特徴とする請求項５に記載の入出力制御装置。
【請求項７】
第１の映像装置と第２の映像装置が、映像・音声信号の入力と出力を同時に可能なケーブルによって接続される映像装置であって、
映像・音声信号を再生する記録再生部または再生部と、
前記第１の映像装置を前記ケーブルで接続するための第１のコネクタと、
前記第１の映像装置を前記ケーブルで接続するための第２のコネクタと、
前記第１のコネクタと、前記記録再生部または前記再生部とから映像・音声信号を入力し、前記第１のコネクタからの映像・音声信号か、前記記録再生部または前記再生部からの映像・音声信号を、前記第２のコネクタへ出力するか、もしくはミュートにして映像・音声信号を出力しないかを切り換え可能な信号切換部と、
前記映像装置の状態を検出する検出部と、
前記検出部が検出する前記映像装置の状態に応じて、前記信号切換部の切り替えを制御する制御部とを備えることを特徴とする映像装置。
【請求項８】
前記検出部は前記映像装置が第１の状態であるかを検出し、
前記制御部は、前記検出部が検出した状態が前記第１の状態である場合、前記信号切換部をミュートに切り換えて、映像・音声信号を出力しないように制御することを特徴とする請求項７に記載の映像装置。
【請求項９】
前記検出部は、前記映像装置が前記第２の状態であるかを検出し、
前記制御部は、前記検出部が検出した状態が前記第１の状態又は前記第２の状態である場合、前記信号切換部をミュートに切り換えて、映像・音声信号を出力しないように制御することを特徴とする請求項８に記載の映像装置。
【請求項１０】
前記第２の映像装置の種類を決定する接続装置決定部を備え、
前記制御部は、前記検出部が検出する前記映像装置の状態と、前記接続装置決定部との状態に基づいて、前記信号切換部を制御することを特徴とする請求項７から請求項９のいずれかに記載の映像装置。
【請求項１１】
前記第２の映像装置の種類を決定する接続装置決定部を備え、
前記検出部が検出した前記映像装置の状態が前記第１の状態であり、かつ、前記接続装置決定部が前記第２の映像装置の種類をデコーダーであると決定した場合、
前記制御部は、前記信号切換部を切り換えて、前記第１のコネクタからの映像・音声信号を前記第２のコネクタに出力するように制御することを特徴とする請求項８または請求項９のいずれかに記載の映像装置。
【請求項１２】
前記検出部が検出した前記映像装置の状態が、前記第１の状態または前記第２の状態であり、かつ、前記接続装置決定部が前記第２の映像装置の種類がデコーダーであると決定した場合、
前記制御部は、前記信号切換部を切り換えて、前記第１のコネクタからの映像・音声信号を前記第２コネクタに出力するように制御することを特徴とする請求項１１に記載の映像装置。
【発明の詳細な説明】
【技術分野】
【０００１】
本発明は、映像機器を接続するための入出力制御装置と、前記入出力制御装置を備えるＤＶＤレコーダーやハードディスクレコーダーやビデオテープレコーダーなどの映像装置に関するものである。
【背景技術】
【０００２】
欧州仕様の２１ピンコネクタは、映像機器同士を接続し、１つのコネクタで映像・音声信号の入力・出力の両方を同時に扱うことができるコネクタとして、広く普及している。最近、ＤＶＤレコーダーなどのさまざまなＡＶ機器が登場し、複数の２１ピンコネクタをもつ映像機器が増えている。
【０００３】
以下、図面を参照しながら、上述した２１ピンコネクタを２個備えた従来の映像装置について説明する。図７は、家庭用ＡＶ機器の接続形態について示すブロック図である。図７では、テレビ１とＤＶＤレコーダー３が２１ピンケーブル４で接続され、ＤＶＤレコーダー３と衛星放送受信機２が２１ピンケーブル５で接続されている。ＤＶＤレコーダー３は、２個の２１ピンコネクタを持ち、ひとつはテレビ１との接続を目的としたものである。このコネクタをＡＶ１と記述する。また、もうひとつは、衛星放送受信機２などの映像機器との接続を目的としたものである。このコネクタをＡＶ２と記述する。上記のような接続の特徴としては、ＤＶＤレコーダー３が待機中の時でもＡＶ１コネクタとＡＶ２コネクタとの間のスルー入出力が可能となっており、ＤＶＤレコーダー３の電源を入れなくても、待機状態であれば衛星放送受信機２の映像・音声がテレビ１で視聴できる。
【０００４】
図８に、図７のＤＶＤレコーダー３の２１ピンコネクタで映像・音声信号の入出力を行うブロック図を示す。図９は、図７、図８の２１ピンコネクタによるテレビ１とＤＶＤレコーダー３の接続を示した図である。図８、図９では、本従来例と直接関係しない部分は、省略している。また、図９ではテレビ１とＤＶＤレコーダー３の接続を示しているが、他の機器同士の接続であっても２１ピンコネクタによる接続であれば、同様の接続構成となる。
【０００５】
まず、図８において、２１ピンコネクタ１０１は、テレビ１と、２１ピンケーブル４によって接続されており、主にテレビとの接続を行うコネクタＡＶ１である。２１ピンコネクタ１０２は、衛星放送受信機２と、２１ピンケーブル５によって接続されており、主に、衛星放送受信機などの外部機器との接続を行うコネクタＡＶ２である。
【０００６】
ここで、図９を用い２１ピンコネクタの接続について説明する。２１ピンコネクタ１０１がＤＶＤレコーダー３の２１ピンコネクタで、２１ピンコネクタ１０６がテレビ１の２１ピンコネクタである。そして、図９に示すように、一般に２１ピンコネクタは、２１個のピンを備えており、６番ピンがオーディオＬチャンネル入力であり、２番ピンがオーディオＲチャンネル入力であり、２０番ピンがビデオ入力であり、３番ピンがオーディオＬチャンネル出力であり、１番ピンがオーディオＲチャンネル出力であり、１９番ピンがビデオ出力であり、それぞれ入力と出力で接続される。そして、図８、図９において、２１ピンコネクタのオーディオＲチャンネル入力、オーディオＬチャンネル入力、ビデオ入力を合わせた信号線をＡＶ入力６、ＡＶ入力８とし、２１ピンコネクタのオーディオＲチャンネル出力、オーディオＬチャンネル出力、ビデオ出力を合わせた信号線をＡＶ出力７、ＡＶ出力９としている。なお、その他のピンについては省略している。
【０００７】
さらに、図８の記録再生部１０３は、ＤＶＤレコーダー３にセットされるＤＶＤなどの外部記録媒体に記録されている映像・音声信号を再生し出力する。また、記録再生部１０３は外部記録媒体だけでなく、内蔵されるＨＤＤなどの記録装置であっても良い。信号切換部１０５は、２１ピンコネクタ１０１から、信号線であるＡＶ入力１１２を通して入力されたテレビ１からの映像・音声信号、もしくは記録再生部１０３から、信号線であるＡＶ入力１１０を通して入力された映像・音声信号を、制御部１００によって制御され、信号線であるＡＶ出力１１３を通して出力する。信号切換部１０４は、２１ピンコネクタ１０２から、信号線であるＡＶ入力１１４を通して入力された衛星放送受信機２からの映像・音声信号、もしくは記録再生部１０３から、信号線であるＡＶ入力１１１を通して入力された映像・音声信号を、制御部１００によって制御され、信号線であるＡＶ出力１１５を通して出力する。そして、ＤＶＤレコーダー３が待機状態の時に、制御部１００の制御により、信号切換部１０５では、ＡＶ入力１１２の入力が選択され、信号切換部１０４では、ＡＶ入力１１４からの映像・音声信号が選択される。
【特許文献１】特開平１０−２９０４３４号公報
【発明の開示】
【発明が解決しようとする課題】
【０００８】
しかしながら、上述のＤＶＤレコーダー３のような映像装置では、図７に示すように衛星放送受信機２などの映像装置が接続されている場合、ＤＶＤレコーダー３が待機状態のときに、テレビ１からＡＶ入力６を通して、映像・音声信号がＤＶＤレコーダー３に入力され、ＤＶＤレコーダー３からＡＶ出力７を通して、衛星放送受信機２に映像・音声信号が出力され、衛星放送受信機２からＡＶ入力８を通して、ＤＶＤレコーダー３に映像・音声信号が入力され、ＤＶＤレコーダー３からＡＶ出力９を通して、テレビ１に映像・音声信号が出力されている。
【０００９】
このとき、２１ピンケーブル、２１ピンコネクタの中において、ＡＶ入力６とＡＶ出力９の映像・音声信号が同時に扱われ、ＡＶ出力７とＡＶ入力８の映像・音声信号が同時に扱われており、一つのケーブルまたはコネクタの中で、入力と出力の信号を同時に扱っているため、２１ピンケーブル４、２１ピンケーブル５、２１ピンコネクタ１０１、２１ピンコネクタ１０２でクロストークが発生しやすい。このように、複数の機器を接続すると、クロストークが発生する部分が複数の場所（２１ピンケーブル４、２１ピンケーブル５、２１ピンコネクタ１０１、２１ピンコネクタ１０２）で発生し、テレビと映像装置だけの１対１で接続する場合よりも、クロストークが増えることになる。特に、図７のような接続のように、テレビ１が出力する映像・音声の内容と異なる映像・音声を出力する衛星放送受信機２のような装置が接続されている場合、衛星放送受信機２の出力と、テレビ１からのチューナー出力とが、内容が異なり非同期の信号であるため、クロストーク成分が動いて見え、ノイズレベルが小さくても目につきやすいという課題を有していた。
【００１０】
本発明は、上記従来の課題を解決するもので、クロストークの発生を抑えた入出力制御装置及び映像装置を提供することを目的とする。
【課題を解決するための手段】
【００１１】
前記従来の課題を解決するために、本発明の入出力制御装置は、第１の映像装置と第２の映像装置が、映像・音声信号の入力と出力を同時に可能なケーブルによって接続される第３の映像装置に用いられる入出力制御装置であって、前記第１の映像装置を前記ケーブルで接続するための第１のコネクタと、前記第２の映像装置を前記ケーブルで接続するための第２のコネクタと、前記第１のコネクタから映像・音声信号を入力し、前記第１のコネクタからの映像・音声信号を、前記第２のコネクタへ出力するか、もしくはミュートにして映像・音声信号を出力しないかを切り換え可能な信号切換部と、前記第３の映像装置の状態を検出する検出部と、前記検出部が検出する前記第３の映像装置の状態に応じて、前記信号切換部の切り換えを制御する制御部とを備える。
【００１２】
この構成によって、本発明の入出力制御装置が用いられる第３の映像装置の状態によって、第３の映像装置から第２の映像装置に映像・音声信号を出力しないよう制御することが可能となる。
【００１３】
また、本発明の映像装置は、前記入出力制御装置を用いて、映像・音声信号の入出力を行う映像装置である。
【発明の効果】
【００１４】
本発明は、映像装置の状態に応じて、入出力制御装置または映像装置の信号切換部を制御することにより、第２のコネクタと接続された他の映像装置との入力と出力のクロストーク抑えることができる。
【発明を実施するための最良の形態】
【００１５】
以下に、本発明の実施するための最良の形態について、図面を参照しながら説明する。
【００１６】
（実施の形態１）
以下、本発明の実施の形態１を、図面を参照しながら説明する。図１は、本発明の実施の形態１における映像装置である第３の映像装置１３の接続形態を示すブロック図である。図１で、本発明の映像装置である第３の映像装置１３が、２１ピンケーブルなどの映像・音声信号の入力と出力を同時に扱うことのできる２つのケーブル１４、１５によってテレビなどの第１の映像装置１１と、衛星放送受信機などの第２の映像装置１２とが接続されている。図２は、本発明の実施の形態１における第３の映像装置１３を示すブロック図である。図１、図２では、本発明に関する部分だけを記述し、本発明と直接関係しない部分については、省略している。
【００１７】
以下、図１のように、テレビなどの第１の映像装置１１と、衛星放送受信機などの第２の映像装置１２とが接続された場合の、第３の映像装置１３について、図２を用い説明する。図２に示す第３の映像装置１３は、入出力制御装置１０と記録再生部２０３から構成されており、入出力制御装置１０は、制御部２００、第１のコネクタ２０１、第２のコネクタ２０２、第１の信号切換部２０４、第２の信号切換部２０５、検出部２０６から構成され、信号線であるＡＶ入力１６、１８、２１１、２１２、２１３、２１５、及び、信号線であるＡＶ出力１７、１９、２１４、２１６を通して映像・音声信号の入力または出力を行う。
【００１８】
そして、第３の映像装置１３は、第１の映像装置１１、第２の映像装置１２と、２１ピンケーブルなどのケーブルによって接続される。
【００１９】
制御部２００は、後述する第１の信号切換部２０４、第２の信号切換部２０５が出力する信号を、後述する検出部２０６が検出する第３の映像装置１３の状態に基づいて制御するコントローラである。
【００２０】
検出部２０６は、第３の映像装置１３の状態が待機状態かどうかを検出する。この第３の映像装置１３の待機状態を、第１の状態とする。この待機状態とは、第３の映像装置１３の全ての回路に電流が流れないように電源が完全に切られているのではなく、起動指示の信号に基づいて起動できるように、多くの回路の電流は流れていないが一部の回路に電流が流れている状態のことをいう。例えば、第３の映像装置１３において、リモコンなどの操作端末の電源ＯＮボタンを押下しての起動を可能にするための回路や、操作端末の再生ボタンを押下することでの再生を可能にするための回路や、予約録画を可能にするための回路などの一部の回路に電流を流している状態のことである。
【００２１】
さらに、検出部２０６は、第３の映像装置１３の電源がＯＮ状態のときに記録再生部２０３が再生を行わない、あるいは記録再生部２０３が再生する映像・音声信号を第１の映像装置１１及び第２の映像装置１２に出力しない、という第３の映像装置１３の状態が非外部出力状態かどうか検出してもよい。この第３の映像装置１３の非外部出力状態を、第２の状態とする。このときの第３の映像装置１３の状態を、第２の状態とする。そして、検出部２０６が検出する第３の映像装置１３の状態に基づいて、制御部２００が第１の信号切換部２０４、第２の信号切換部２０５を制御する。
【００２２】
記録再生部２０３は、第１の映像装置１１、第２の映像装置１２から入力された映像・音声信号を記録し、記録再生部２０３に記録されている映像・音声信号を、第１の映像装置１１、または第２の映像装置１２に、後述する第１の信号切換部２０４、第２の信号切換部２０５を通して出力する。再生する映像・音声信号の出力は、第１の信号切換部２０４、第２の信号切換部２０５に入力されているＡＶ入力２１１、２１２を通して行われる。なお、記録再生部２０３は、必ずしも映像・音声信号の記録を行う必要はなく、再生を行うことができる再生部であればよい。また、再生する映像・音声信号は第３の映像装置１３に備えられるＨＤＤに記録されたものを再生しても良いし、ビデオテープ、ＤＶＤなどの外部記録媒体に記録されているものを再生しても良い。
【００２３】
第１のコネクタ２０１は、２１ピンコネクタのように、１つのコネクタで映像・音声信号の入力と出力の信号を同時に行うことができるコネクタである。そして、第１のコネクタ２０１は、テレビなどの第１の映像装置１１との接続を行うコネクタで、第１の映像装置１１と、ケーブル１４を通して、映像・音声信号の入出力を行う。詳しくは、第１のコネクタ２０１は、ＡＶ出力２１６によって、第１の信号切換部２０４から出力された映像・音声信号を受け取り、ＡＶ出力１９によって、第１の映像装置１１へ出力する。そして第１の映像装置１１から、ＡＶ入力１６によって受け取った映像・音声信号を、ＡＶ入力２１３によって、第２の信号切換部２０５へ出力する。
【００２４】
第２のコネクタ２０２は第１のコネクタ２０１と同様のコネクタであり、衛星放送受信機などの第２の映像装置１２との接続を行い、映像・音声信号の入出力を行う。詳しくは、第２のコネクタ２０２は、ＡＶ出力２１４によって、第２の信号切換部２０５から出力された映像・音声信号を受け取り、ＡＶ出力１７によって、第２の映像装置１２へ出力する。そして第２の映像装置１２から、ＡＶ入力１６によって、受け取った映像・音声信号を、ＡＶ入力２１５によって、第１の信号切換部２０４へ出力する。
【００２５】
第１の信号切換部２０４は、ＡＶ入力２１５によって、第２のコネクタ２０２から入力される第２の映像装置１２が出力した映像・音声信号と、記録再生部２０３が再生し、ＡＶ入力２１２によって入力される映像・音声信号とを受け取り、制御部２００の制御によって、受信した信号のいずれかを、ＡＶ出力２１６から第１のコネクタ２０１へ出力するように、出力の切り換えを行っている。そして、制御部２００による制御は、検出部２０６によって、第３の映像装置１３が第１の状態、または第２の状態であると検出された場合、第１の信号切換部２０４が、出力信号をＡＶ入力２１５から入力される映像・音声信号に切り換えて、第１のコネクタ２０１に出力するように制御し、第３の映像装置１３が、検出部２０６によって、第１の状態と第２の状態以外の状態であると検出された場合、記録再生部２０３が再生中であるので、第１の信号切換部２０４が、出力信号をＡＶ入力２１２から入力される映像・音声信号に切り換えて、第１のコネクタ２０１に出力するように制御する。
【００２６】
第２の信号切換部２０５は、ＡＶ入力２１３によって、第１のコネクタ２０１から入力される第１の映像装置１１が出力した映像・音声信号と、記録再生部２０３が再生し、ＡＶ入力２１１によって入力される映像・音声信号とを受け取り、制御部２００の制御によって、受信した信号のいずれかを、ＡＶ出力２１４から第２のコネクタ２０２へ出力するように出力を切り換えるか、またはミュート２１０に切り換えて映像・音声信号を出力しないように出力の切り替えを行っている。そして、制御部２００による制御は、検出部２０６によって、第３の映像装置１３が第１の状態、もしくは第２の状態であると検出された場合、第２の信号切換部２０５が出力信号をミュート２１０に切り換えて、ＡＶ出力２１４から映像・音声信号を出力しないように制御し、第３の映像装置１３が、検出部２０６によって第１の状態と第２の状態以外の状態であると検出された場合、記録再生部２０３が再生中であるので、第２の信号切換部２０５が、出力信号をＡＶ入力２１１から入力される映像・音声信号に切り換えて、第２のコネクタ２０２に出力するか、ミュート２１０に切り換えて、映像・音声信号を出力しないように制御する。また、記録再生部２０３で再生している映像・音声信号が、第２の映像装置１２で必要とされないならば、第２の信号切換部２０５がミュート２１０を選択するように、制御部２００で制御してもよい。
【００２７】
次に、第３の映像装置１３の動作について説明する。図３は本発明の第３の映像装置１３の動作を示すフローチャート図である。この図３を用いて、第３の映像装置１３の動作の説明を行う。この図３のフローチャート図の動作処理を第１の処理とする。
【００２８】
制御部２００の検出部２０６が第３の映像装置１３の状態を検出し、検出部２０６が検出した第３の映像装置１３の状態が第１の状態か第２の状態である場合のステップＳ２と、検出部２０６が検出した第３の映像装置１３の状態が、第１の状態と第２の状態以外の状態である場合のステップＳ４とに分かれる（ステップＳ１）。
【００２９】
まず、ステップＳ１で、検出部２０６が、第３の映像装置１３の状態が第１の状態か第２の状態であると検出した場合、第１の信号切換部２０４は、第２のコネクタ２０２から入力している第２の映像装置１２の映像・音声信号と、記録再生部２０３から入力している映像・音声信号のうち、第２のコネクタ２０２からの入力を選択して、第２のコネクタ２０２からの映像・音声信号を第１のコネクタ２０１を通して第１の映像装置１１に出力する（ステップＳ２）。次に、第２信号切換部２０５は、第１のコネクタ２０１から入力している第１の映像装置１１の映像・音声信号と、記録再生部２０３から入力している映像・音声信号と、映像・音声信号を出力しないミュート２１０のうち、ミュート２１０を選択して、第２のコネクタ２０２から第２の映像装置１２へ映像・音声信号を出力しない（ステップＳ３）。
【００３０】
また、ステップＳ１で、検出部２０６が、第３の映像装置１３の状態が第１の状態と第２の状態以外の状態であると検出した場合、第１の信号切換部２０４は、第２のコネクタ２０２から入力している第２の映像装置１２の映像・音声信号と、記録再生部２０３から入力している映像・音声信号のうち、記録再生部２０３からの入力を選択して、記録再生部２０３からの映像・音声信号を第１のコネクタ２０１を通して第１の映像装置１１に出力する（ステップＳ４）。次に、第２の信号切換部２０５は、第１のコネクタ２０１から入力している第１の映像装置１１の映像信号と、記録再生部２０３から入力している映像・音声信号と、映像・音声信号を出力しないミュート２１０のうち、記録再生部２０３からの入力を選択して、記録再生部２０３からの映像・音声信号を第２のコネクタ２０２を通して第２の映像装置１２に出力するか、もしくはミュート２１０を選択して、映像・音声信号を出力しない（ステップＳ５）。
【００３１】
なお、この動作において、ステップＳ１で検出部２０６が、第３の映像装置１３の状態が第１の状態か第２の状態であると検出した場合、ステップＳ２を行った後に、ステップＳ３を行っているが、ステップＳ３を行った後に、ステップＳ２を行っても良いし、ステップＳ２とステップＳ３の動作を並列に処理しても良い。また、ステップＳ１で、検出部２０６が、第３の映像装置１３の状態が第１の状態と第２の状態以外の状態であると検出した場合、ステップＳ４を行った後に、ステップＳ５を行っているが、ステップＳ５を行った後に、ステップＳ４を行っても良いし、ステップＳ４とステップＳ５の動作を並列に処理しても良い。
【００３２】
以上のように、本実施の形態１の第３の映像装置１３では、第３の映像装置１３の状態に応じて、第３の映像装置１３から第２の映像装置１２に映像・音声信号を出力するか、出力しないかを決め、第３の映像装置１３の状態が第１の状態または第２の状態の場合に、第３の映像装置１３から第２の映像装置１２に映像・音声信号を出力しないように構成している。
【００３３】
この構成により、第３の映像装置１３が第１の状態または第２の状態のときに、第３の映像装置１３に、ＡＶ入力１６によって第１の映像装置１１から映像・音声信号が入力され、第２の信号切換部２０５がミュート２１０に切り換えることによって、ＡＶ出力１７によって映像・音声信号は出力されず、そして、第３の映像装置１３に、ＡＶ入力１８によって第２の映像装置１２から映像・音声信号が入力され、第１の映像装置１１へ、ＡＶ出力１９によって映像・音声信号が出力される。
【００３４】
このように、映像・音声信号が、第３の映像装置１３から第２の映像装置１２に出力されないので、第３の映像装置１３と第２の映像装置１２間の２１ピンケーブルなどのケーブル１５、及び第２のコネクタ２０２内で、入出力信号が同時に扱われないため、ケーブル１５と第２のコネクタ２０２内でのクロストークを押さえることができる。
【００３５】
また、第３の映像装置１３が、第１の状態と第２の状態以外の状態である場合に、第１の処理のステップＳ５において、第２の信号切換部２０５がミュート２１０に切り換え、映像・音声信号を第２の映像装置１２出力しない時も、同様にクロストークを押さえることができる。
【００３６】
（実施の形態２）
以下、本発明の実施の形態２を、図面を参照しながら説明する。本実施の形態２では、本発明の映像装置に、衛星放送受信機などの第２の映像装置１２でなく、デコーダーが第２の映像装置１２として接続されることを想定する。
【００３７】
ここで、デコーダーについて説明する。デコーダーとは、テレビやＤＶＤレコーダーなどのチューナーで受信した放送波の映像・音声信号にかかっているスクランブルを解除し、正常な映像・音声信号として、テレビやＤＶＤレコーダーなどに再入力する装置のことであり、スクランブルとは映像・音声信号を電波伝送するとき、傍受を防ぐために、特定のデコーダー（復調装置）でしかわからないように信号を攪乱することである。
【００３８】
上述したデコーダーのように、第１の映像装置１１からの映像・音声信号の出力を再入力するための第２の映像装置１２が本発明の映像装置（第３の映像装置１３）に接続される場合、前述の実施の形態１のような映像装置（第３の映像装置１３）の構成では、第２の信号切換部２０５でミュート２１０が選択されて、第２の映像装置１２に第１の映像装置１１の映像・音声信号が入力されないため、第２の映像装置１２でスクランブルを取り除いて再入力を行うことができないという課題がある。そこで、第２の映像装置１２としてデコーダーが接続される場合に、第１の映像装置１１から出力された映像・音声信号を、第２の映像装置１２を経由して、第１の映像装置１１に再入力することが可能な、第３の映像装置１３を提供することを目的とする。なお、このとき接続される第２の映像装置１２は、デコーダーのようにスクランブルを解除するための映像装置だけではなく、第１の映像装置１１からの映像・音声信号を再入力するための装置であればよい。
【００３９】
本実施の形態２の映像装置の構成を図４に示す。なお、実施の形態１と同じ構成については省略する。本実施の形態２の映像装置は、実施の形態１の第３の映像装置１３に、さらに接続装置決定部３００を備えるものである。
【００４０】
接続装置決定部３００は、接続された第２の映像装置１２が、第１の映像装置１１から出力された映像・音声信号を再入力する必要のある、デコーダーなどのような装置なのか、また、第１の映像装置１１から出力された映像・音声信号を再入力する必要のないデコーダー以外の装置なのかを、ユーザー入力３０１によって決定する。ユーザー入力３０１とは、第３の映像装置１３の初期設定のセットアップメニューにおいて、接続する第２の映像装置１２がデコーダーかデコーダー以外かを選択するメニューを、第３の映像装置１３が作成し、その作成されたメニューからユーザーが接続する第２の映像装置１２の種類を選択することである。このユーザー入力３０１によって、接続装置決定部３００による、接続された第２の映像装置１２の種類の決定が行われる。また、接続装置決定部３００によって決定された第２の接続装置の種類は任意にセットアップメニューを呼び出し設定変更できる。
【００４１】
なお、本実施の形態２では、ユーザーの入力による接続装置決定部３００での決定により、接続される第２の映像装置１２の種類が何であるかを決定しているが、接続された第２の映像装置１２がどのような装置であるかを自動的に判定する図示していない判定部を備え、判定部の判定結果によって、接続装置決定部３００が接続装置を決定してもよい。この自動判定は、予め第３の映像装置１３が、第２の映像装置１２として接続される映像装置の種類を示す機種情報（デコーダーかどうかという情報も含む）を集めた機種情報データベースを備えており、第２の映像装置１２が接続されると、接続された第２の映像装置１２の機種情報を取得し、デコーダーなのかデコーダー以外なのかを決定する。また、判定部による自動判定で、接続された第２の映像装置１２の種類が判定できない場合や、誤判定をしてしまう場合であっても、ユーザー入力３０１によって、任意に第２の映像装置１２の種類を決めることができる。
【００４２】
制御部２００は、接続装置決定部３００が、接続されている第２の映像装置１２がデコーダーであると決定した場合に、検出部２０６により第３の映像装置１３の状態が第１の状態か第２の状態であると検出されたならば、第２の信号切換部２０５が出力する信号を、ＡＶ入力２１３によって入力される第１のコネクタ２０１から入力された映像・音声信号に切り換えて、ＡＶ出力２１４によって、第２のコネクタ２０２に第１のコネクタ２０１からの入力を出力するように制御し、検出部２０６により第１の状態と第２の状態以外の状態であると検出されたならば、第２の信号切換部２０５が出力する信号を、ＡＶ入力２１１によって入力される記録再生部２０３の再生する映像・音声信号か、ＡＶ入力２１３によって第１のコネクタ２０１から入力された映像・音声信号かに切り換えて、ＡＶ出力２１４によって第２のコネクタ２０２に出力するか、ミュート２１０に切り換えて、ＡＶ出力２１４によって映像・音声信号を出力しないように制御する。
【００４３】
また、記録再生部２０３で再生している映像・音声信号が、第２の映像装置１２で必要とされないならば、第２の信号切換部２０５がＡＶ入力２１３の入力、またはミュート２１０を選択するように、制御部２００で制御してもよい。そして、接続装置決定部３００が、第２の映像装置１２がデコーダー以外であると決定した場合、第３の映像装置１３の動作は実施の形態１の第３の映像装置１３と同様で、第１の処理を行う。
【００４４】
次に、第３の映像装置１３の動作について説明する。図５は本発明の第３の映像装置１３の動作を示すフローチャート図である。この図５と、図３（第１の処理）、図６（第２の処理）を用いて、第３の映像装置１３の説明を行う。
【００４５】
ユーザー入力３０１によって、第２の映像装置１２がデコーダーかデコーダー以外かが選択され、この選択に基づいて接続装置決定部３００が、第２の映像装置１２の種類を決定し、デコーダーと決定されたならば第２の処理を（図６参照）、第２の映像装置１２がデコーダー以外と決定されたならば第１の処理（図３参照）を行う（ステップＳ１００）。
【００４６】
第２の映像装置１２がデコーダーである場合の動作処理である第２の処理について説明する。なお、第２の映像装置１２がデコーダー以外である第１の処理の説明は、実施の形態１と同様なので省略する。
【００４７】
第２の処理は、制御部２００の検出部２０６が第３の映像装置１３の状態を検出し、検出部２０６が検出した第３の映像装置１３の状態が第１の状態か第２の状態である場合のステップＳ１０２と、検出部２０６が検出した第３の映像装置１３の状態が、第１の状態と第２の状態以外の状態である場合のステップＳ１０４とに分かれる（ステップＳ１０１）。
【００４８】
まず、ステップＳ１０１で、検出部２０６が、第３の映像装置１３の状態が第１の状態か第２の状態であると検出した場合、第１の信号切換部２０４は、第２のコネクタ２０２から入力している第２の映像装置１２の映像・音声信号と、記録再生部２０３から入力している映像・音声信号のうち、第２のコネクタ２０２からの入力を選択して、第２のコネクタ２０２からの映像・音声信号を第１のコネクタ２０１を通して第１の映像装置１１に出力する（ステップＳ１０２）。次に、第２の信号切換部２０５は、第１のコネクタ２０１から入力している第１の映像装置１１の映像・音声信号と、記録再生部２０３から入力している映像・音声信号と、映像・音声信号を出力しないミュート２１０のうち、第１のコネクタ２０１からの入力を選択して、第１のコネクタ２０１からの映像・音声信号を第２のコネクタ２０２を通して第２の映像装置１２に出力する（ステップＳ１０３）。
【００４９】
また、ステップＳ１０１で、検出部２０６が、第３の映像装置１３の状態が第１の状態と第２の状態以外の状態であると検出した場合、第１の信号切換部２０４は、第２のコネクタ２０２から入力している第２の映像装置１２の映像・音声信号と、記録再生部２０３から入力している映像・音声信号のうち、記録再生部２０３からの入力を選択して、記録再生部２０３からの映像・音声信号を第１のコネクタ２０１を通して第１の映像装置１１に出力する（ステップＳ１０４）。次に、第２の信号切換部２０５は、第１のコネクタ２０１から入力している第１の映像装置１１の映像信号と、記録再生部２０３から入力している映像・音声信号と、映像・音声信号を出力しないミュート２１０のいずれかを選択し、第１のコネクタ２０１からの入力を選択して、第１のコネクタ２０１から入力している映像・音声信号を第２のコネクタ２０２を通して第２の映像装置１２に出力するか、記録再生部２０３からの入力を選択して、記録再生部２０３からの映像・音声信号を第２のコネクタ２０２を通して第２の映像装置１２に出力するか、ミュート２１０を選択して、映像・音声信号を出力しない（ステップＳ１０５）。
【００５０】
なお、この動作において、ステップＳ１０１で検出部２０６が、第３の映像装置１３の状態が第１の状態か第２の状態であると検出した場合、ステップＳ１０２を行った後に、ステップＳ１０３を行っているが、ステップＳ１０３を行った後に、ステップＳ１０２を行っても良いし、ステップＳ１０２とステップＳ１０３の動作を並列に処理しても良い。また、ステップＳ１０１で、検出部２０６が、第３の映像装置１３の状態が第１の状態と第２の状態以外の状態であると検出した場合、ステップＳ１０４を行った後に、ステップＳ１０５を行っているが、ステップＳ１０５を行った後に、ステップＳ１０４を行っても良いし、ステップＳ１０４とステップＳ１０５の動作を並列に処理しても良い。
【００５１】
以上のように、本実施の形態２の第３の映像装置１３では、第３の映像装置１３に接続される第２の映像装置１２の種類に応じて、第３の映像装置１３から第２の映像装置１２に映像・音声信号を出力するか、出力しないかを決め、第２の映像装置１２がデコーダーの場合に、第３の映像装置１３が第１の状態か第２の状態であるならば、第３の映像装置１３から第２の映像装置１２に、第１の映像装置１１から入力された信号を出力するように構成している。
【００５２】
この構成により、接続装置決定部３００によって第２の映像装置１２がデコーダーであると決定されて、検出部２０６によって第３の映像装置１３が第１の状態または第２の状態であると検出されたときに、第３の映像装置１３に、ＡＶ入力１６によって第１の映像装置１１から映像・音声信号が入力され、第２の信号切換部２０５がＡＶ入力１６を出力するように切り換えることによって、ＡＶ出力１７によって第１の映像装置１１からの映像・音声信号が出力され、第１の映像装置１１から出力され第２の映像装置１２に入力された映像・音声信号は第２の映像装置１２においてデコードされる。そして、第３の映像装置１３に、ＡＶ入力１８によって第２の映像装置１２からデコードされた映像・音声信号が入力され、第１の映像装置１１へ、ＡＶ出力１９によって、第２の映像装置１２からの映像・音声信号が出力される。
【００５３】
このように、接続装置決定部３００によって、第２の映像装置１２として接続される装置の種類を決定し、その決定と検出部２０６の検出する状態に基づいて制御部２００が信号切換部２０５を制御することで、デコーダーが第２の映像装置１２として接続された場合に、接続装置決定部３００が第２の映像装置１２の種類をデコーダーと決定し、第１の映像装置１１から出力された映像・音声信号が第２の映像装置１２でデコードされて、第１の映像装置１１に再入力されるので、スクランブルのかかっている映像・音声信号のスクランブル信号を取り除くことが可能で、デコーダーの機能は有効になり、デコーダー以外の衛星放送受信機などが第２の映像装置１２として接続された場合は、実施の形態１で示したように、制御部２００が信号切換部２０５をミュート２１０に切り換えるように制御し、映像・音声信号が第２の映像装置１２に出力されないので、クロストークを抑えることが可能になる。また、デコーダーが第２の映像装置１２として接続された場合、第２のコネクタ２０２と、第３の映像装置１３と第２の映像装置１２を接続しているケーブルの間で、映像・音声信号の入力と出力が同時に行われているが、内容は同じであり、同期しているため、クロストークによるノイズは、ほとんど気にならない程度である。
【００５４】
つまり、実施の形態２において、第２の映像装置１２として、デコーダーもしくはデコーダー以外の装置のいずれの装置が接続されても、第２の映像装置１２としての機能を損なわず、第３の映像装置１３と第２の映像装置１２の間でのクロストークを抑えることができる。
【００５５】
なお、実施の形態１、実施の形態２において、外部に接続する機器として、衛星放送受信機だけでなく、地上波デジタル受信機やビデオレコーダー、別のＤＶＤレコーダーなどの映像機器を接続しても同様の効果が得られる。
【産業上の利用可能性】
【００５６】
本発明にかかる入出力制御装置及び映像装置は第１の状態または第２の状態の時に、第２のコネクタが信号を出力しないように、信号切換部を制御することにより、前記第２のコネクタで接続された他の映像装置との入力と出力のクロストークが抑えられ、入出力制御装置及び映像装置として非常に有用である。
【図面の簡単な説明】
【００５７】
【図１】本発明の実施の形態１における映像装置の接続形態について示すブロック図
【図２】同映像装置の構成を示すブロック図
【図３】同映像装置の動作（第１の処理）を示すフローチャート
【図４】本発明の実施の形態２における映像装置の構成を示すブロック図
【図５】同映像装置の動作を示すフローチャート
【図６】同映像装置の動作（第２の処理）を示すフローチャート
【図７】従来の家庭用ＡＶ機器の接続形態について示すブロック図
【図８】従来の映像装置の構成を示すブロック図
【図９】２１ピンコネクタによる接続について示すブロック図
【符号の説明】
【００５８】
１    テレビ
２    衛星放送受信機
３    ＤＶＤレコーダー
４    ２１ピンケーブル
５    ２１ピンケーブル
６、８、１６、１８、１１０〜１１２、１１４、２１１〜２１３、２１５    ＡＶ入力
７、９、１７、１９、１１３、１１５、２１２、２１４、２１６    ＡＶ出力
１０    入出力制御装置
１１    第１の映像装置
１２    第２の映像装置
１３    第３の映像装置
１４    ケーブル
１５    ケーブル
１００    制御部
１０１    ２１ピンコネクタ
１０２    ２１ピンコネクタ
１０３    記録再生部
１０４    信号切換部
１０５    信号切換部
２００    制御部
２０１    第１のコネクタ
２０２    第２のコネクタ
２０３    記録再生部
２０４    第１の信号切換部
２０５    第２の信号切換部
２０６    検出部
２１０    ミュート
３００    接続装置決定部
３０１    ユーザー入力
【図１】
2006340038.tif 000003
【図２】
2006340038.tif 000004
【図３】
2006340038.tif 000005
【図４】
2006340038.tif 000006
【図５】
2006340038.tif 000007
【図６】
2006340038.tif 000008
【図７】
2006340038.tif 000009
【図８】
2006340038.tif 000010
【図９】
2006340038.tif 000011